(57)【要約】  【課題】進入部側の障害手段のバラツキ等に関係なく遊技球の入賞率を適正に容易に調整できるようにする。  【解決手段】遊技盤１７上に遊技球が入賞する入賞口３８，３９を備え、入賞口３８，３９へと遊技球が進入する進入部６０，６１側に、進入部６０，６１の遊技盤１７の盤面方向の口幅を調整可能な障害手段６２，６３と、進入部６０，６１の前後幅を規制する規制手段６４，６５とを備える。障害手段６２，６３は進入部６０，６１の両側に配置された障害突起７５を備え、障害突起７５間又は障害突起７５間の近傍に規制手段６４，６５を配置する。規制手段６４，６５は進入部６０，６１の後端側よりも前に突出する規制部６４ａ，６５ａを有する。【選択図】図３
2015047352.tif 000002
【特許請求の範囲】
【請求項１】
遊技盤上に入賞口、通過口等の遊技球が入る球入口を備え、該球入口へと遊技球が進入する進入部側に、該進入部の前記遊技盤の盤面方向の口幅を調整可能な障害手段を備えた弾球遊技機において、
前記進入部の通路幅を規制する規制手段を備えた
ことを特徴とする弾球遊技機。
【請求項２】
前記障害手段は前記進入部の両側に配置された障害突起を備え、
該障害突起間又は該障害突起間の近傍に前記規制手段を配置した
ことを特徴とする請求項１に記載の弾球遊技機。
【請求項３】
前記規制手段は前記進入部の後端側よりも前に突出する規制部を有する
ことを特徴とする請求項１又は２に記載の弾球遊技機。
【請求項４】
前記進入部の一側の前記障害突起は調整不能であり、前記進入部の他側の前記障害突起は調整可能な命釘である
ことを特徴とする請求項２に記載の弾球遊技機。
【請求項５】
前記進入部側に間隔調整可能な遊技釘を備えた
ことを特徴とする請求項１〜３の何れかに記載の弾球遊技機。
【請求項６】
前記遊技盤の前面に当接する取り付け板と、
該取り付け板の前面に配置され且つ前記球入口を有する口部材と、
前記取り付け板に設けられ且つ前記遊技盤の前面に当接する前記規制手段とを備えた
ことを特徴とする請求項１〜５の何れかに記載の弾球遊技機。
【請求項７】
前記取り付け板から上方に突出する前記規制手段と、
該規制手段と前記取り付け板とに一体に形成され且つ前記規制手段を補強する補強手段とを備えた
ことを特徴とする請求項６に記載の弾球遊技機。
【請求項８】
前記補強手段は前記進入部側から入った遊技球を前記球入口へと案内する案内部を備えた
ことを特徴とする請求項７に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技盤の前面の遊技領域の略中央に液晶式等の画像表示手段を配置し、この画像表示手段の下側の左右略中央に図柄始動入賞手段、可変入賞手段を上下に配置し、その左右方向の一側又は左右両側に複数個の普通入賞手段を隣接して配置している。
【０００３】
図柄始動入賞手段、普通入賞手段等の非開閉式の入賞手段は、遊技盤の前面に当接する取り付け板の前後面に、上向きの入賞口を形成する口部材と、入賞口から入賞した遊技球を遊技盤の裏側へと誘導する誘導樋とを備え、誘導樋を装着孔に挿入して遊技盤に前側から装着されている。
【０００４】
このような非開閉式の入賞手段を採用する場合には、一般に入賞口の入口部の上側に２本又は３本の命釘を配置して、その命釘間を通過した遊技球が入賞口へと入賞するようになっている。
【０００５】
この種の入賞手段では、命釘相互間の間隔が入賞口への遊技球の入賞率を決定する上で非常に重要であり、しかもその調整作業は非常に煩雑で高度な熟練を要するものとなっている。この釘調整を容易にするために種々の対策が講じられている。
【０００６】
例えば左右の命釘間の間隔に対応する複数の調整部が上下方向に設けられた調整板を入賞手段の口部材の前側に上下調整可能に備え、この調整板を上下方向に移動させることにより左右の命釘間の間隔が変化するようにしたものがある（特許文献１）。
【先行技術文献】
【特許文献】
【０００７】
【特許文献１】特開平９−３８２８０号公報
【発明の概要】
【発明が解決しようとする課題】
【０００８】
この従来の入賞手段は、口部材に対して調整板を上下方向に移動させることにより左右の命釘間の間隔が変化するため、その調整時の取り扱いは比較的容易であるが、命釘の根元側が遊技盤に対して適正な間隔で打ち込まれていない場合には、適正に釘調整を行えないという問題がある。
【０００９】
例えば左右の命釘の根元側が遊技球の直径よりも極僅かに大きい程度の適正な間隔であれば、口部材の前側の調整板に合わせて左右の命釘を略平行にすることにより、遊技盤側寄り、ガラス板側寄りの何れの遊技球の入賞率も略同じに調整できる。
【００１０】
しかし、左右の命釘の根元側の間隔が遊技球の直径よりも十分に大きい場合には、調整板により左右の命釘間の前端側の間隔を小さく調整しても、依然として遊技盤側寄りの入賞率が高くなり、また遊技盤側寄りの入賞率を下げるべく左右の命釘間の前端側の間隔を小さくし過ぎると、その命釘上に遊技球が載った状態のままで止まる球止まり等の問題が生じる。
【００１１】
逆に左右の命釘の根元側の間隔が遊技球の直径よりも小さい場合には、左右の命釘間の前端側の間隔を大きくして、遊技盤の近傍側での遊技球の球止まりを防止しようとすれば、ガラス板の近傍側での遊技球の入賞率が大になる等の問題がある。
【００１２】
球止まり等を防止するためには、左右の命釘の一方又は両方を円弧状に湾曲させる等の調整が必要になるが、既に遊技盤に打ち込まれた命釘を円弧状に湾曲させて調整するためには至難の技能を必要とする問題がある。
【００１３】
従って、従来の非開閉式の入賞手段又は釘調整方式では、命釘の根元側が正規の適正な間隔であることが前提であり、その根元側の間隔にバラツキがある限り適正な入賞率に容易に調整することはできないという問題がある。
【００１４】
本発明は、このような従来の問題点に鑑み、進入部側の障害手段のバラツキ等に関係なく遊技球の入賞率を適正に容易に調整できる弾球遊技機を提供することを目的とする。
【課題を解決するための手段】
【００１５】
本発明は、遊技盤上に入賞口、通過口等の遊技球が入る球入口を備え、該球入口へと遊技球が進入する進入部側に、該進入部の前記遊技盤の盤面方向の口幅を調整可能な障害手段を備えた弾球遊技機において、前記進入部の通路幅を規制する規制手段を備えたものである。
【００１６】
前記障害手段は前記進入部の両側に配置された障害突起を備え、該障害突起間又は該障害突起間の近傍に前記規制手段を配置してもよい。前記規制手段は前記進入部の後端側よりも前に突出する規制部を有するものでもよい。
【００１７】
前記進入部の一側の前記障害突起は調整不能であり、前記進入部の他側の前記障害突起は調整可能な命釘であってもよい。前記進入部側に間隔調整可能な遊技釘を備えたものでもよい。前記遊技盤の前面に当接する取り付け板と、該取り付け板の前面に配置され且つ前記球入口を有する口部材と、前記取り付け板に設けられ且つ前記遊技盤の前面に当接する前記規制手段とを備えたものでもよい。
【００１８】
前記取り付け板から上方に突出する前記規制手段と、該規制手段と前記取り付け板とに一体に形成され且つ前記規制手段を補強する補強手段とを備えたものでもよい。前記補強手段は前記進入部側から入った遊技球を前記球入口へと案内する案内部を備えたものでもよい。
【発明の効果】
【００１９】
本発明によれば、進入部側の障害手段のバラツキ等に関係なく遊技球の入賞率を適正に容易に調整できる利点がある。
【図面の簡単な説明】
【００２０】
【図１】本発明の第１の実施形態を示すパチンコ機の正面図である。
【図２】同要部の平面断面図である。
【図３】同要部の正面断面図である。
【図４】同普通入賞ユニットの平面断面図である。
【図５】同普通入賞ユニットの側面断面図である。
【図６】同普通入賞ユニットの側面断面図である。
【図７】同普通入賞ユニットの一部破断斜視図である。
【図８】同普通入賞ユニットの分解斜視図である。
【図９】同普通入賞ユニットの説明図である。
【図１０】本発明の第２の実施形態を示す普通入賞手段の正面図である。
【図１１】本発明の第３の実施形態を示す普通入賞手段の正面図である。
【図１２】同側面図である。
【図１３】本発明の第４の実施形態を示す普通図柄始動手段の一部破断正面図である。
【図１４】同側面図である。
【図１５】本発明の第５の実施形態を示す普通入賞手段の正面図である。
【図１６】同側面図である。
【図１７】同平面図である。
【図１８】本発明の第６の実施形態を示す普通入賞手段の正面図である。
【図１９】同側面図である。
【図２０】本発明の第７の実施形態を示す普通入賞手段の正面図である。
【図２１】同側面図である。
【図２２】同平面図である。
【発明を実施するための形態】
【００２１】
以下、本発明の各実施形態を図面に基づいて詳述する。
【００２２】
図１〜図９は本発明をパチンコ機に採用した第１の実施形態を例示する。パチンコ機１は、図１、図２に示すように、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００２３】
前面板６の前側には、発射用の遊技球を貯留する球供給皿８と、余剰球を貯留する球受け皿９とが上下に配置され、その側方に遊技球を発射する発射手段（図示省略）の発射ハンドル１０が設けられている。球供給皿８、球受け皿９は前面板６に装着され、前側から上部皿カバー１１、下部皿カバー１２により覆われている。
【００２４】
上部皿カバー１１の前中央部には、前斜め上向きに操作ボタン兼用の回転演出手段１３が配置され、その左側にチャンスボタン１４が配置されている。ガラス扉（視認扉）５は図２に示すように扉枠１５と、扉枠１５の裏側に装着されたガラス板（透明板）１６とを備えている。ガラス扉５の裏側には、このガラス扉５に対応するように前枠４に遊技盤１７が着脱自在に装着されている。なお、ガラス扉５は視認扉の一例であり、ガラス板１６は透明板の一例である。
【００２５】
遊技盤１７の前面には、図１に示すように、発射手段から発射された遊技球を案内するガイドレール１８が略円弧状に配置されると共に、そのガイドレール１８の内側の遊技領域１９に画像表示手段２０、普通図柄始動手段２１、特別図柄始動手段２２、可変入賞手段２３、普通入賞ユニット２４、普通図柄表示手段２５、特別図柄表示手段２６等の各種の遊技部品が配置され、また各遊技部品２０〜２６相互間に多数の遊技釘が配列されている。
【００２６】
なお、遊技領域１９の最下部には、アウト球を裏側へと案内するアウト口２７が設けられている。遊技領域１９はガラス扉５のガラス板１６を介して視認可能である。
【００２７】
ガイドレール１８は外レール１８ａと内レール１８ｂとを有する。画像表示手段２０は遊技領域１９の左右方向の略中央の上部に配置され、特別図柄始動手段２２と可変入賞手段２３は画像表示手段２０の下側に上下に配置されている。普通入賞ユニット２４は後述のように非開閉式の入賞口を複数備え、可変入賞手段２３の左右両側に設けられている。特別図柄始動手段２２は非開閉式入賞口２２ａと開閉式入賞口２２ｂとを有する。普通図柄始動手段２１は画像表示手段２０とガイドレール１８との間に配置されている。
【００２８】
画像表示手段２０は液晶式等の画像表示部２８と、画像表示部２８に対応する表示窓２９を有し且つ遊技盤１７の前面に装着された飾り枠３０とを備えている。飾り枠３０には遊技盤１７から前側に突出する突出部３１を上部から左右両側部に跨がって備え、その突出部３１の上部側の前面に普通図柄表示手段２５と特別図柄表示手段２６とが装着されている。
【００２９】
普通図柄表示手段２５は普通図柄を変動表示するためのもので、複数種類の普通図柄（例えば２種類の「○」「×」）に対応する複数個の発光素子により構成されており、普通図柄始動手段２１が遊技球を検出することを条件に２個の発光素子が交互に点灯するように所定時間点滅して、普通図柄始動手段２１の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００３０】
特別図柄表示手段２６は発光部位の変化等で特別図柄を変動表示可能なセグメント式等により構成されており、特別図柄始動手段２２が遊技球を検出することを条件に、特別図柄が所定時間変動して、特別図柄始動手段２２の遊技球の検出時に抽選された乱数値が予め定められた大当たり判定値と一致した場合に所定の大当たり態様で、それ以外の場合に外れ態様で停止するようになっている。
【００３１】
特別図柄始動手段２２の開閉式入賞口２２ｂは、普通図柄表示手段２５の変動後の停止図柄が当たり態様となったときに所定時間（短時間）だけ開放するようになっている。可変入賞手段２３は開閉板２３ａを有し、特別図柄表示手段２６の変動後の特別図柄が大当たり態様となって特別遊技状態が発生したときに開閉板２３ａが前側に開放して、上方から落下する遊技球を入賞させるようになっている。特別遊技状態中は開閉板２３ａの開放から所定時間（例えば３０秒程度）が経過するか、その間に所定数（例えば１０個）の遊技球が入賞したときに開閉板２３ａを閉じる動作を１ラウンドとし、この動作を所定回数（例えば１６ラウンド）継続するようになっている。
【００３２】
画像表示部２８は特別図柄表示手段２６の特別図柄に対応する演出図柄３３ａ，３３ｂ，３３ｃの変動表示、回転演出手段１３の操作指示画像３４を表示する操作指示等、遊技の進行に従って適宜タイミングで各種の演出画像を随時表示するものである。即ち、特別図柄表示手段２６の特別図柄の変動に際しては、その特別図柄の変動に同期して１個又は複数個、例えば３個の演出図柄３３ａ〜３３ｃが画像表示部２８に変動表示される。このとき演出図柄３３ａ〜３３ｃは特別図柄始動手段２２の遊技球の検出を条件に、抽選により決定された所定の演出図柄変動パターンを経て所定時間変動した後、特別図柄の変動終了に同期して所定の順序（例えば左、右、中等の順序）で順次停止する。
【００３３】
演出図柄３３ａ〜３３ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００３４】
例えば、演出図柄３３ａ〜３３ｃには０〜９までの数字図柄が使用されており、特別図柄が大当たり態様で停止する場合には演出図柄３３ａ〜３３ｃは「７・７・７」等の大当たり演出態様で停止し、特別図柄が外れ態様で停止する場合には演出図柄３３ａ〜３３ｃは「２・４・５」等の外れ演出態様で停止する。
【００３５】
回転演出手段１３の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄３３ｂを除く２個の演出図柄３３ａ，３３ｃが同じとなるリーチとなった場合に、画像表示部２８の所定箇所に回転演出手段１３の操作を指示する操作指示画像３４が表示される。
【００３６】
そして、例えば特別図柄始動手段２２が遊技球を検出したときに大当たりを抽選しており、変動後の特別図柄が大当たり態様となった後に特別遊技状態が発生する場合には、その操作指示画像３４に従って図柄変動中に適宜タイミングで回転演出手段１３の発光カバー３５を押圧操作すれば、発光カバー３５内の発光部が回転しながら明滅発光する回転発光状態となって、その後の大当たり態様での特別図柄の停止、及びこれに続く特別遊技状態の発生を予告する。
【００３７】
なお、回転演出手段１３は遊技者が操作するか否かに関係なく回転発光させてもよい。また回転演出手段１３の回転発光中は、画像表示部２８に回転演出手段１３の回転発光を示す演出画像を表示してもよい。
【００３８】
左右の普通入賞ユニット２４には、遊技領域１９の中央側ほど低くなるように左右方向及び上下方向に位置を変えて２個又は３個の第１入賞口３８〜第３入賞口４０が設けられている。また画像表示手段２０と普通入賞ユニット２４との間には、左右両側から中央側へと遊技球を誘導する誘導釘列４１が普通入賞ユニット２４の入賞口３８〜４０の配列に沿って斜め下方向に設けられている。なお、左右の普通入賞ユニット２４は入賞口数が同数のものでもよい。
【００３９】
誘導釘列４１は上下方向に略平行に複数設けられており、その各誘導釘列４１は複数本の遊技釘を一列状に配置して構成された単位釘列４１ａを、途中の途切れ部４１ｂを介して複数組配列したものである。単位釘列４１ａと途切れ部４１ｂは全体として略千鳥状に配置され、単位釘列４１ａと途切れ部４１ｂとを経て遊技球を落下させながら、順次中央側へと誘導するように構成されている。
【００４０】
左側の普通入賞ユニット２４は、図２〜図８に示すように、内レール１８ｂに沿って遊技盤１７の前面に装着された取り付け板４３と、この取り付け板４３の前面に装着された第１口部材４４及び第２口部材４５と、取り付け板４３の裏側に周壁４６を介して装着された裏板４７と、取り付け板４３と裏板４７との間に介在され且つＬＥＤ等の発光体４８が設けられた発光基板４９とを備えている。
【００４１】
取り付け板４３と発光基板４９との間には、取り付け板４３の発光領域に対応する拡散シート５０ａとスペーサ５０ｂとが介在されており、裏側の発光体４８からの光により、スペーサ５０ｂ及び拡散シート５０ａを介して取り付け板４３の発光領域を発光させるようになっている。
【００４２】
第１口部材４４は、図３〜図５、図７及び図８に示すように、上向きに開口する非開閉式の第１入賞口３８を有し、係合爪及びネジ等により取り付け板４３の前面に着脱自在に装着されている。第１入賞口３８は取り付け板４３の裏側に一体に形成された誘導通路５１を経て、裏板４７の裏側に下向きに一体に形成された排出通路５２に連通され、この第１入賞口３８に入賞した遊技球を誘導通路５１、排出通路５２を経て遊技盤１７の裏側へと誘導し排出するようになっている。裏板４７の裏側には排出通路５２を通過する遊技球を検出するための第１検出スイッチ５３が設けられている。
【００４３】
第２口部材４５は、図３、図４、図６〜図８に示すように、上向きに開口する非開閉式の第２入賞口３９と、中央上向きに開口する非開閉式の第３入賞口４０と、各入賞口３９，４０に入賞した遊技球が合流する合流通路５４とを左右に有し、係合爪及びネジ等により取り付け板４３の前面に着脱自在に装着されている。合流通路５４は第３入賞口４０側の下方に配置され、第２入賞口３９は取り付け板４３の前側でＬ字状の通路５５を介して合流通路５４に接続されている。
【００４４】
合流通路５４は取り付け板４３の裏側に一体に形成された誘導通路５６を経て、裏板４７の裏側に下向きに一体に形成された排出通路５７に連通され、各入賞口３９，４０に入賞した遊技球は誘導通路５６、排出通路５７を経て遊技盤１７の裏側へと誘導し排出するようになっている。裏板４７の裏側には排出通路５７を通過する遊技球を検出するための第２検出スイッチ５８が設けられている。
【００４５】
各口部材４４，４５は入賞口３８，３９の左右両側に側壁４４ａ，４４ｂ、４５ａ，４５ｂを有する。取り付け板４３の上側には、各入賞口３８，３９側への遊技球の進入する進入部６０，６１側で遊技盤１７に設けられ且つ進入部６０，６１の遊技盤１７の盤面方向の口幅を調整可能な障害手段６２，６３と、取り付け板４３から障害手段６２，６３側へと上方に突出し且つ進入部６０，６１の前後幅（通路幅）を規制する規制手段６４，６５と、進入部６０，６１外で規制手段６４，６５の一側（遊技領域１９の中央側）に設けられ且つ規制手段６４，６５を補強する補強手段６６，６７とが一体に設けられている。
【００４６】
障害手段６２，６３は、図３、図４に示すように、規制手段６４，６５の上側近傍で遊技盤１７に設けられた単位釘列４１ａの上流側の１又は２本の遊技釘６２ａ，６３ａと、規制手段６４，６５に対して補強手段６６，６７と反対側で取り付け板４３の上側近傍で遊技盤１７に設けられた１本の遊技釘６２ｂ，６３ｂとを備え、その単位釘列４１ａの最上流の遊技釘６２ａ，６３ａと取り付け板４３の上側近傍の遊技釘６２ｂ，６３ｂとの間が入賞口３８，３９へと遊技球が進入し始める進入部６０，６１となっている。
【００４７】
遊技釘６２ａ，６３ａと遊技釘６２ｂ，６３ｂは進入部６０，６１の両側に配置された命釘を構成し、この遊技釘６２ａ，６３ａと遊技釘６２ｂ，６３ｂとの間隔を調整することにより、進入部６０，６１の遊技盤１７の盤面方向の口幅を調整することが可能である。従って、遊技釘６２ａ，６３ａと遊技釘６２ｂ，６３ｂは、口幅を調整可能な障害突起を構成するものでもある。
【００４８】
なお、進入部６０，６１は誘導釘列４１の単位釘列４１ａ間の途切れ部４１ｂの下方で、その下流側の単位釘列４１ａの下側に配置され、途切れ部４１ｂ側に向かって開口している。
【００４９】
規制手段６４，６５は、図２〜図８に示すように、進入部６０，６１側に配置され且つ取り付け板４３よりも前側へと遊技盤１７の前面から突出する規制部６４ａ，６５ａと、この規制部６４ａ，６５ａの下端から取り付け板４３の前面へと後側に傾斜する傾斜案内部６４ｂ，６５ｂとを上下に備え、その下端が取り付け板４３の上端に一体に接続されている。規制部６４ａ，６５ａは一対の遊技釘６２ａ，６２ｂ、６３ａ，６３ｂ間の進入部６０，６１又はその近傍に配置されている。
【００５０】
規制部６４ａ，６５ａは前面が平坦状であり、入賞口３８，３９の入り口の後端縁よりも前側に突出している。従って、一対の遊技釘６２ａ，６２ｂ、６３ａ，６３ｂ間に形成される進入部６０，６１側の前後幅は、従来の遊技盤１７とガラス板１６との間の間隔から、規制部６４ａ，６５ａとガラス板１６との間の間隔へと小さくなっており、その規制部６４ａ，６５ａの前側を経て進入した遊技球が入賞口３８，３９に入賞するようになっている。
【００５１】
なお、規制部６４ａ，６５ａの上側の周縁は、角ができないように適宜面取りが施されている。また規制部６４ａ，６５ａは進入部６０，６１の前後幅を制限できる構造であればよく、その前面が平坦状である必要はない。規制部６４ａ，６５ａの裏側は中空状になっている。
【００５２】
補強手段６６，６７は、図２〜図８に示すように、後側に開口する中空箱状の突出体６６ａ，６７ａを有し、規制手段６４，６５に対して遊技領域１９の中央側に配置され、その突出体６６ａ，６７ａの一側が規制手段６４，６５の端部側に、下側が取り付け板４３の上端部側に夫々一体に形成されている。突出体６６ａ，６７ａは口部材４４，４５と同程度又は若干低い程度の突出高さを有し、その規制手段６４，６５側には遊技球を入賞口３８，３９へと案内する案内部６６ｂ，６７ｂと、口部材４４，４５の側壁４４ｂ，４５ｂとの干渉を避ける退避部６６ｃ，６７ｃとが設けられている。
【００５３】
案内部６６ｂ，６７ｂは上下方向に平坦状に形成され、口部材４４，４５の側壁４４ｂ，４５ｂの内面と略面一状に設けられている。なお、案内部６６ｂ，６７ｂは口部材４４，４５の側壁４４ｂ，４５ｂの内面から入賞口３８，３９側に若干突出してもよいし、側壁４４ｂ，４５ｂの内面から若干離して設けてもよい。また案内部６６ｂ，６７ｂは突出又は凹入方向に湾曲状又は屈曲状でもよい。案内部６６ｂ，６７ｂは遊技球を入賞口３８，３９へと案内できるものであれば十分である。規制手段６４，６５及び補強手段６６，６７の上端は最下部の誘導釘列４１の下側に近接し且つ誘導釘列４１の傾斜に沿って傾斜状になっている。
【００５４】
左側の普通入賞ユニット２４には、特別図柄始動手段２２と反対側の端部に、遊技球を誘導釘列４１側へと案内する傾斜状の案内台６８が設けられている。右側の普通入賞ユニット２４も、左側の普通入賞ユニット２４の第１入賞口３８、第２入賞口３９側と略同様になっている。
【００５５】
このパチンコ機での遊技に際して、発射手段により遊技盤１７の遊技領域１９に遊技球を打ち込むと、その遊技球は遊技盤１７の前面に沿って遊技領域１９内を落下する間に普通図柄始動手段２１を通過するか、普通入賞ユニット２４の入賞口３８，３９，４０、特別図柄始動手段２２、可変入賞手段２３の何れかに入賞する。また入賞口３８，３９，４０等に入賞せずに落下した遊技球は、内レール１８ｂにより案内されてアウト口２７から排出されて行く。
【００５６】
普通図柄始動手段２１が遊技球を検出すると、普通図柄表示手段２５の普通図柄が所定時間変動し、その特定態様、非特定態様の何れかで停止する。普通図柄が特定態様で停止すれば、特別図柄始動手段２２の開閉式入賞口２２ｂが所定時間開放する。そして、特別図柄始動手段２２の上下２個の入賞口２２ａ，２２ｂの何れかに遊技球が入賞すると、特別図柄表示手段２６の特別図柄が所定時間変動し、またその特別図柄の変動に同期して画像表示手段２０の演出図柄３３ａ〜３３ｃが所定の演出図柄変動パターンで変動する。
【００５７】
特別図柄始動手段２２が遊技球を検出した際に、例えば変動後の特別図柄が特別態様となって特別遊技状態が発生する特別遊技を抽選していた場合には、特別図柄の変動中に、画像表示手段２０に表示される演出図柄３３ａ〜３３ｃのうち２個の演出図柄３３ａ，３３ｃが同じ図柄を表示するリーチになったときに、図１に点線で示すように演出図柄３３ａ〜３３ｃの他に、回転演出手段１３の操作を指示する操作指示画像３４が画像表示手段２０に表示される。
【００５８】
この操作指示画像３４が表示されたときに、遊技者が適宜タイミングで回転演出手段１３を押圧操作すれば、回転演出手段１３が赤色に回転発光して、その後に特別図柄が特別態様で停止して特別遊技状態が発生することを予告する等の予告演出を行う。そして、特別図柄が特別態様で停止した後に可変入賞手段２３が所定の開閉動作を行う特別遊技が発生する。この特別遊技では、可変入賞手段２３の開閉板２３ａが前側に開放して、上方から落下する遊技球を開閉板２３ａにより可変入賞手段２３内に案内するため、遊技者は多数の遊技球が入賞し易い有利な状態で遊技を行うことができる。
【００５９】
画像表示手段２０と内レール１８ｂとの間を経て左側の普通入賞ユニット２４の案内台６８上に落下する遊技球があった場合、その遊技球は例えば最下段の誘導釘列４１等に沿って遊技領域１９の中央側に案内されながら、途切れ部４１ｂから内レール１８ｂへと落下するか、途切れ部４１ｂから落下して第１入賞口３８又は第２入賞口３９へと入賞するか、何れにも入賞せずに内レール１８ｂへと落下する。内レール１８ｂ上に落下した遊技球は、内レール１８ｂに沿ってアウト口２７へと案内される。
【００６０】
例えば第１入賞口３８に入賞する遊技球は、上下の遊技釘６２ａ，６２ｂ間の進入部６０から単位釘列４１ａの下側に入り、補強手段６６の案内部６６ｂに衝突するか又は衝突せずに第１入賞口３８へと入賞する。そして、第１入賞口３８に入賞した遊技球は、誘導通路５１、排出通路５２を経て遊技盤１７の裏側へと誘導し排出されて行く。
【００６１】
遊技球が上下の遊技釘６２ａ，６２ｂ間の進入部６０に進入する場合、遊技盤１７側には規制手段６４の規制部６４ａがあり、遊技球が遊技釘６２ａ，６２ｂ間の遊技盤１７側を通過しないように規制部６４ａで進入部６０の前後幅を前側寄りに規制しているため、遊技球は必ず遊技釘６２ａ，６２ｂ間のガラス板１６側寄りを通過することになる。従って、一対の遊技釘６２ａ，６２ｂ間のガラス板１６側寄りでの遊技球の入賞率を考慮して一対の遊技釘６２ａ，６２ｂの釘調整（口幅調整）を行えばよいので、次のような釘調整が可能であり、遊技釘６２ａ，６２ｂ間の根元側の間隔のバラツキ等に関係なく容易且つ適正に釘調整を行うことができる。
【００６２】
例えば、遊技盤１７に命釘である一対の遊技釘６２ａ，６２ｂを打ち込むに際しては、その遊技釘６２ａ，６２ｂの根元側の間隔が適正であることが望ましい。しかし、実際には遊技盤１７の性状、釘打ち機の誤差等によって、遊技釘６２ａ，６２ｂの根元側の間隔に多少のバラツキが生じることがある。
【００６３】
しかし、遊技盤１７側には遊技盤１７の前面から前側に突出する規制手段６４の規制部６４ａを設けることにより、全ての遊技球が遊技釘６２ａ，６２ｂ間の遊技盤１７側寄りを通過せずにガラス板１６側寄りを通過することとなる。そのため図９（ａ）に示すように遊技釘６２ａ，６２ｂの根元側の間隔が遊技球の直径よりも十分に大の場合には、遊技釘６２ａ，６２ｂの前側が適当な間隔で接近するように、また逆に図９（ｂ）に示すように遊技球の直径よりも小の場合には、遊技釘６２ａ，６２ｂの前側が適当な間隔で離間するように、一対の遊技釘６２ａ，６２ｂの両方又は片方を適宜調整すればよい。
【００６４】
従って、遊技釘６２ａ，６２ｂの釘打ち時に高い釘打ち精度が要求されず釘打ち作業を容易且つ能率的に行うことができる。しかもその後の遊技釘６２ａ，６２ｂの釘調整に際しても、遊技釘６２ａ，６２ｂの前側の間隔を考慮して釘調整を行えばよいので、遊技釘６２ａ，６２ｂ間の根元側に間隔のバラツキがあっても、釘調整のための高度な技能を要することなく容易且つ適正に調整することができる。
【００６５】
また規制手段６４は規制部６４ａと傾斜案内部６４ｂとを有する簡単な構造であるため、容易且つ安価に実施することもできる。しかも、規制手段６４の一側の下流側に補強手段６６があり、この補強手段６６で規制手段６４を補強しているため、規制手段６４が取り付け板４３から上側に突出しているにも拘わらず、組み付け前の規制手段６４の損傷等を少なくすることができる。
【００６６】
更に補強手段６６に遊技球の案内部６６ｂを設けているため、補強手段６６側へと遊技球が跳ね返るような場合でも、その遊技球を第１入賞口３８へと速やかに案内することができる。また規制手段６４、補強手段６６は取り付け板４３に一体に備え、第１入賞口３８を有する第１口部材４４を取り付け板４３の前面に装着しているので、第１口部材４４を取り付け板４３に一体に形成する場合に比較して構造的に簡単にできる利点がある。
【００６７】
図１０は本発明の第２の実施形態を例示する。この実施形態では、取り付け板４３の上側に規制手段６５が突出状に設けられている。規制手段６５は下部側の左右幅が上部側に比較して大になっている。このように規制手段６５の下部側の左右幅を大にすることにより、規制手段６５自体の取り付け板４３に対する取り付け強度が向上し、第１の実施形態における補強手段６７を省略することができる。なお、この実施形態では、補強手段６７に代替して遊技釘６３ｃを設けている。
【００６８】
またこの実施形態では、規制手段６５の遊技釘６３ｂ側の側縁形状がく字状に凹入する凹入部６５ｃを有し、その凹入部６５ｃ内に遊技釘６３ｂが配置されている。このため規制手段６５の規制部６５ａの頂部側を一対の遊技釘６３ａ，６３ｂ間に配置することができる。他の構成は第１の実施形態と同様である。
【００６９】
図１１及び図１２は本発明の第３の実施形態を例示する。この実施形態では、普通入賞手段６９の上側の遊技盤１７には、３本の遊技釘（命釘）６２ａ〜６２ｃからなる障害手段６２が普通入賞手段６９に対応して配置されている。普通入賞手段６９は遊技盤１７に装着された取り付け板４３と、この取り付け板４３の前面に装着され且つ入賞口３８を有する口部材４４とを有する。
【００７０】
障害手段６２の遊技釘６２ａ〜６２ｃは間隔調整可能な障害突起を構成する。取り付け板４３には、３本の遊技釘６２ａ〜６２ｃ間に配置された規制手段６４が一体に設けられている。規制手段６４は各遊技釘６２ａ〜６２ｃに対応して凹部７０ａ〜７０ｃを有し、また各遊技釘６２ａ〜６２ｃ間の進入部６０側に規制部６４ａが設けられている。他の構成は各実施形態と同様である。
【００７１】
このように３本の遊技釘６２ａ〜６２ｃを配置する場合にも、各遊技釘６２ａ〜６２ｃ間に規制手段６４を配置することにより、各実施形態と同様に実施することができる。
【００７２】
図１３、図１４は本発明の第４の実施形態を例示する。この実施形態は、普通図柄始動手段２１に採用したものである。普通図柄始動手段２１は取り付け板４３の前面に突出する突出部７３に上下方向の通過口７２と、通過口７２を通過する遊技球を検出する始動検出スイッチ７４とが設けられ、遊技盤１７の前面側で遊技球が通過口７２を上から下へと通過するようになっている。
【００７３】
普通図柄始動手段２１の上側には、通過口７２に対応して３本（又は２本）の遊技釘６２ａ〜６２ｃが遊技盤１７に設けられており、この遊技釘６２ａ〜６２ｃ間に位置する規制手段６４が取り付け板４３から上側に突出して設けられている。他の構成は各実施形態と同様である。
【００７４】
このように通過口７２を有する普通図柄始動手段２１の場合にも、その取り付け板４３から上側に突出する規制手段６４を一体に設けることにより、各実施形態と同様に実施することができる。
【００７５】
図１５〜図１７は本発明の第５の実施形態を例示する。この実施形態では、規制手段６４，６５は、普通入賞手段６９の取り付け板４３から上側に台形状に突出する突出板６４ｄと、この突出板６４ｄの前側に左右方向に複数の縦突条６４ｅとを有する。縦突条６４ｅの上部側の突出量が大であり、その突出量の大きい部分で規制部６４ａが構成され、その規制部６４ａの下側に傾斜案内部６４ｂが設けられている。他の構成は各実施形態と同様である。
【００７６】
このように規制手段６４は複数の縦突条６４ｅにより構成することも可能であり、この場合にも、各実施形態と同様に釘調整を容易に行うことができる。
【００７７】
図１８及び図１９は本発明の第６の実施形態を例示する。この実施形態では、障害手段６２は１本の遊技釘６２ａと障害突起７５とにより構成されている。１本の遊技釘６２ａと障害突起７５は、普通入賞手段６９の上側に規制手段６４を挟んで左右に配置されている。障害突起７５は規制手段６４の一側に一体であり、規制手段６４の前側に突出している。規制手段６４及び障害突起７５は裏側に２本の圧入突起７６を有し、その圧入突起７６を遊技盤１７の圧入孔７７に圧入することにより遊技盤１７に着脱自在に設けられている。規制手段６４は上部に規制部６４ａ及び傾斜案内部６４ｂを有する。他の構成は各実施形態と同様である。
【００７８】
このように普通入賞手段６９等の入賞口３８の上側に規制手段６４を配置する場合、普通入賞手段６９等の取り付け板４３から規制手段６４を分離して、規制手段６４を独自に遊技盤１７に装着するようにしてもよい。その場合の規制手段６４の固定方式は、ネジ式の他に圧入式等を採用してもよい。また普通入賞手段６９等の入賞口３８の上側に別の遊技部品等がある場合には、その別の遊技部品等に規制手段６４を設けることも可能である。
【００７９】
図２０〜図２２は本発明の第７の実施形態を例示する。この実施形態では、普通入賞手段６９の入賞口３８に対応して、その上側の遊技盤１７に２本の遊技釘６２ａ，６２ｂが設けられている。また口部材４４には、入賞口３８の前側の前側壁４４ｃから遊技釘６２ａ，６２ｂ間へと上向きに突出する規制手段６４が設けられている。規制手段６４は上部に規制部６４ａを、下部に傾斜案内部６４ｂを夫々有し、その規制部６４ａにより、遊技盤１７の前面との間の前後幅を規制するようになっている。他の構成は各実施形態と同様である。
【００８０】
このように入賞口３８の前側に規制手段６４を配置した場合でも、進入路の進入部６０側では一対の遊技釘６２ａ，６２ｂ間の遊技盤１７側から遊技球が進入するため、遊技釘６２ａ，６２ｂの根元側の間隔にバラツキがあっても、その根元側を基準に釘調整を行えばよいので、第１の実施形態と同様に容易に調整することができる。
【００８１】
以上、本発明の各実施形態について詳述したが、本発明はこの各実施形態に限定されるものではなく、本発明の趣旨を逸脱しない範囲で種々の変更が可能である。例えば、各実施形態では、遊技球が入る球入口として入賞口３８，３９，４０、通過口７２を例示しているが、その他の球入口でも同様に実施可能である。
【００８２】
規制手段６４，６５は入賞口３８，３９，４０、通過口７２等の球入口へと遊技球が進入し始める進入路の進入部６０，６１側の前後幅を規制できればよく、各実施形態に例示するように進入部６０，６１の後側又は前側の何れに規制手段６４，６５を配置してもよいし、前後両側に規制手段６４，６５を配置してもよい。また規制手段６４，６５は進入部６０，６１側の前後幅を規制できるものであれば、各実施形態に例示する構造以外のものでもよい。
【００８３】
進入部６０，６１の障害手段６２，６３は遊技釘等の障害突起を備えたものであればよい。その場合、障害突起として遊技釘を設ければ調整型とすることができるが、例えば一対の障害突起の内、その一方が遊技釘等の調整型であれば、調整型と調整不能型とを併用することができる。
【００８４】
また入賞口３８，３９，４０、通過口７２等の球入口を備えたものであればパチンコ機に限らず、アレンジボール機、雀球機等の各種の弾球遊技機においても同様に実施可能である。
【符号の説明】
【００８５】
１７  遊技盤
３８〜４０  入賞口（入球口）
４３  取り付け板
４４，４５  口部材
６０，６１  進入部
６２，６３  障害手段
６２ａ，６３ａ  遊技釘
６４，６５  規制手段
６４ａ，６５ａ  規制部
６６，６７  補強手段
６６ｂ，６７ｂ  案内部
７２  通過口（入球口）
７５  障害突起
【図１】
2015047352.tif 000003
【図２】
2015047352.tif 000004
【図３】
2015047352.tif 000005
【図４】
2015047352.tif 000006
【図５】
2015047352.tif 000007
【図６】
2015047352.tif 000008
【図７】
2015047352.tif 000009
【図８】
2015047352.tif 000010
【図９】
2015047352.tif 000011
【図１０】
2015047352.tif 000012
【図１１】
2015047352.tif 000013
【図１２】
2015047352.tif 000014
【図１３】
2015047352.tif 000015
【図１４】
2015047352.tif 000016
【図１５】
2015047352.tif 000017
【図１６】
2015047352.tif 000018
【図１７】
2015047352.tif 000019
【図１８】
2015047352.tif 000020
【図１９】
2015047352.tif 000021
【図２０】
2015047352.tif 000022
【図２１】
2015047352.tif 000023
【図２２】
2015047352.tif 000024